(57)【要約】  手持ち式ヘアスタイリングデバイスは、前面、後面、及び前面と後面との間に延在する側端面を有する本体を含む。回転軸を中心に本体に対して回転する回転可能基部が、本体上に装着される。回転可能基部は、本体からほぼ離れるように対面する表面を有する。回転可能基部の回転軸は、本体の縦軸に実質的に垂直に延在する。回転可能基部に連れた回転に供される少なくとも１つのヘアスタイリング要素が、回転可能基部の表面上に装着される。ヘアスタイリング要素は、長尺のねじれ部材を含む。【選択図】なし
2021520857.tif 000002
【特許請求の範囲】
【請求項１】
手持ち式ヘアスタイリングデバイスであって、
前面、後面、及び前記前面と前記後面との間に延在する側端面を有する、本体と、
回転軸を中心に前記本体に対する回転に供される、前記本体上に装着された回転可能基部であって、前記回転可能基部は前記本体からほぼ離れるように対面する表面を有し、前記回転可能基部の前記回転軸は前記本体の縦軸に実質的に垂直に延在する、前記回転可能基部と、
前記回転可能基部に連れた回転に供される、前記回転可能基部の前記表面上に装着された少なくとも１つのヘアスタイリング要素であって、前記ヘアスタイリング要素は長尺のねじれ部材を備える、前記少なくとも１つのヘアスタイリング要素と、
を、備える、前記手持ち式ヘアスタイリングデバイス。
【請求項２】
前記表面上に装着された複数のヘアスタイリング要素をさらに備え、各ヘアスタイリング要素は、長尺のねじれ部材を備える、請求項１に記載の手持ち式ヘアスタイリングデバイス。
【請求項３】
各ヘアスタイリング要素は、ねじれパドル形状構成を有する、請求項２に記載の手持ち式ヘアスタイリングデバイス。
【請求項４】
各ヘアスタイリング要素の前記長尺のねじれ部材は、前記表面上に装着された基部から前記長尺のねじれ部材のほぼ自由端まで、らせん状に延在する側表面を含む、請求項３に記載の手持ち式ヘアスタイリングデバイス。
【請求項５】
各ヘアスタイリング要素は、ねじれ長方形パドル形状構成を有する、請求項３に記載の手持ち式ヘアスタイリングデバイス。
【請求項６】
各ヘアスタイリング要素は、ねじれ花弁パドル形状構成を有する、請求項３に記載の手持ち式ヘアスタイリングデバイス。
【請求項７】
前記少なくとも１つのヘアスタイリング要素の前記長尺のねじれ部材は、少なくとも約１８０度だけねじられている、請求項１に記載の手持ち式ヘアスタイリングデバイス。
【請求項８】
前記回転可能基部の前記表面上に装着された前記ヘアスタイリング要素のそれぞれは、他のヘアスタイリング要素のそれぞれから離間している、請求項２に記載の手持ち式ヘアスタイリングデバイス。
【請求項９】
前記ヘアスタイリング要素が前記回転可能基部の前記回転軸に対してある角度で延在するように、前記少なくとも１つのヘアスタイリング要素は、前記回転可能基部の前記回転軸に非平行に延在する縦軸を有する、請求項１に記載の手持ち式ヘアスタイリングデバイス。
【請求項１０】
前記ヘアスタイリング要素が前記回転軸を中心に回転するように、前記少なくとも１つのヘアスタイリング要素は、前記回転可能基部の前記回転軸からずれている、請求項１に記載の手持ち式ヘアスタイリングデバイス。
【請求項１１】
前記本体に対する前記回転可能基部を回転駆動する選択的にアクティブ化可能な駆動システムをさら備える、請求項１に記載の手持ち式ヘアスタイリングデバイス。
【請求項１２】
手持ち式ヘアスタイリングデバイス用ヘアスタイリング取り付け品であって、
基部であって、前記ヘアスタイリングデバイスによって回転されるように前記基部を前記ヘアスタイリングデバイスに取り付ける取り付け部材、及び前記基部上の表面を含む、前記基部と、
前記基部に連れた回転に供される、前記基部の前記表面上に装着された少なくとも１つのヘアスタイリング要素であって、前記ヘアスタイリング要素は長尺のねじれ部材を備える、前記少なくとも１つのヘアスタイリング要素と、
を備える、前記手持ち式ヘアスタイリングデバイス用ヘアスタイリング取り付け品。
【請求項１３】
前記基部の前記表面上に装着された複数のヘアスタイリング要素をさらに備え、各ヘアスタイリング要素は、長尺のねじれ部材を備える、請求項１２に記載のヘアスタイリング取り付け品。
【請求項１４】
各ヘアスタイリング要素は、ねじれパドル形状構成を有する、請求項１３に記載のヘアスタイリング取り付け品。
【請求項１５】
各ヘアスタイリング要素の前記長尺のねじれ部材は、前記基部から前記長尺のねじれ部材のほぼ自由端まで、らせん状に延在する側表面を含む、請求項１４に記載のヘアスタイリング取り付け品。
【請求項１６】
各ヘアスタイリング要素は、ねじれ長方形パドル形状構成を有する、請求項１４に記載のヘアスタイリング取り付け品。
【請求項１７】
各ヘアスタイリング要素は、ねじれ花弁パドル形状構成を有する、請求項１４に記載のヘアスタイリング取り付け品。
【請求項１８】
前記表面上に装着された前記ヘアスタイリング要素のそれぞれは、他のヘアスタイリング要素のそれぞれから離間している、請求項１３に記載のヘアスタイリング取り付け品。
【請求項１９】
前記ヘアスタイリング要素が前記基部の前記中心軸に対してある角度で延在するように、前記少なくとも１つのヘアスタイリング要素は、前記基部の中心軸に非平行に延在する縦軸を有する、請求項１２に記載のヘアスタイリング取り付け品。
【請求項２０】
前記少なくとも１つのヘアスタイリング要素は、前記基部の中心軸からずれている、請求項１２に記載のヘアスタイリング取り付け品。
【発明の詳細な説明】
【技術分野】
【０００１】
本発明は、概して、ヘアブラシ及びくし等の手持ち式ヘアスタイリングデバイスに関し、より具体的には、人の髪にカールを付与するために使用される手持ち式ヘアスタイリングデバイスに関する。
【背景技術】
【０００２】
従来の手持ち式ヘアブラシは、本体と、本体から延在するハンドルとを有する。剛毛または歯等の複数のヘアスタイリング要素は、ブラシの本体から離れるように延在する。この従来のブラシを使用するために、人は、手にハンドルを保持し、ブラシを動かし、それにより、ヘアスタイリング要素は人の頭部上の髪を通過する。
【０００３】
くしは、ブラシに類似する。くし上のヘアスタイリング要素は、通常、ブラシ上のヘアスタイリング要素よりも更に狭い構成（例えば、歯の単列、または少数の接近し離間している平行列の歯）で配列される。しかしながら、くしと見なされるデバイスとブラシと見なされるデバイスとの間の境界が存在しない。くし及びブラシの両方は、ユーザが本体から延在する複数のヘアスタイリング要素を支える本体を移動させることを可能にすることによって機能し、これにより、ヘアスタイリング要素は人の頭部上の髪を通って移動する。
【０００４】
スタイリング要素は、多くの場合、髪のスタイリングにおいて、それ自体ほとんど助力せず、このため、使用することが不快である可能性がある。
【発明の概要】
【０００５】
一態様では、手持ち式ヘアスタイリングデバイスは、概して、前面、後面、及び前面と後面との間に延在する側端面を有する本体を備える。回転軸を中心に本体に対して回転する回転可能基部が、本体上に装着される。回転可能基部は、本体からほぼ離れるように対面する表面を有する。回転可能基部の回転軸は、本体の縦軸に実質的に垂直に延在する。回転可能基部に連れた回転に供される少なくとも１つのヘアスタイリング要素が、回転可能基部の表面上に装着される。ヘアスタイリング要素は、長尺のねじれ部材を備える。
【０００６】
別の態様では、手持ち式ヘアスタイリングデバイス用ヘアスタイリング取り付け品は、概して、ヘアスタイリングデバイスによって回転されるように基部をヘアスタイリングデバイスに取り付ける取り付け部材を含む基部を備える。基部はさらに、表面を備える。基部に連れた回転に供される少なくとも１つのヘアスタイリング要素が、基部の表面上に装着される。ヘアスタイリング要素は、長尺のねじれ部材を備える。
【０００７】
他の目的及び特徴は、部分的に明白であり、以下に部分的に指摘されるであろう。
【図面の簡単な説明】
【０００８】
【図１】本発明のヘアスタイリングデバイスの一実施形態の斜視図である。
【図２】異なる視点から見た、図１に示されたヘアスタイリングデバイスの追加の斜視図である。
【図３】異なる視点から見た、図１に示されたヘアスタイリングデバイスの追加の斜視図である。
【図４】図１〜図３に示されたヘアスタイリングデバイスの側面図である。
【図５】図１〜図４に示されたヘアスタイリングデバイスの上面図である。
【図６】図１〜図５に示されたヘアスタイリングデバイスの底面図である。
【図７】図１〜図６に示されたヘアスタイリングデバイスの分解斜視図である。
【図８】内部特徴を示すためにデバイスの一部を省いた、図１〜図７に示されたヘアスタイリングデバイスの斜視図である。
【図９】追加の内部特徴を示すためにデバイスの一部が省かれていることを除いては図８と同様の、図１〜図８に示されたヘアスタイリングデバイスの斜視図である。
【図１０】図１〜図９に示されたヘアスタイリングデバイスとともに使用するために交換可能回転板上に異なるスタイリング要素構成を有する、２つの異なるセットの交換可能回転板の斜視図である。
【図１０Ａ】図１０Ａ１は交換可能回転板の別の実施形態の正面斜視図、図１０Ａ２は図１０Ａ１の交換可能回転板の後面斜視図、図１０Ａ３は図１０Ａ１の交換可能回転板の上面図、図１０Ａ４は図１０Ａ１の交換可能回転板の底面図、図１０Ａ５は図１０Ａ１の交換可能回転板の側面図である。
【図１０Ｂ】図１０Ｂ１は交換可能回転板の別の実施形態の正面斜視図、図１０Ｂ２は図１０Ｂ１の交換可能回転板の後面斜視図、図１０Ｂ３は図１０Ｂ１の交換可能回転板の上面図、図１０Ｂ４は図１０Ｂ１の交換可能回転板の底面図、図１０Ｂ５は図１０Ｂ１の交換可能回転板の側面図である。
【図１０Ｃ】図１０Ｃ１は交換可能回転板の別の実施形態の正面斜視図、図１０Ｃ２は図１０Ｃ１の交換可能回転板の後面斜視図、図１０Ｃ３は図１０Ｃ１の交換可能回転板の上面図、図１０Ｃ４は図１０Ｃ１の交換可能回転板の底面図、図１０Ｃ５は図１０Ｃ１の交換可能回転板の側面図である。
【図１０Ｄ】図１０Ｄ１は交換可能回転板の別の実施形態の正面斜視図、図１０Ｄ２は図１０Ｄ１の交換可能回転板の後面斜視図、図１０Ｄ３は図１０Ｄ１の交換可能回転板の上面図、図１０Ｄ４は図１０Ｄ１の交換可能回転板の底面図、図１０Ｄ５は図１０Ｄ１の交換可能回転板の側面図である。
【図１１】人の髪をカールするために、図１〜図９に示されたデバイスを使用する１つの方法を示す斜視図である。
【図１２】本発明のヘアスタイリングデバイスの別の実施形態の斜視図である。
【図１３】本発明のヘアスタイリングデバイスの別の実施形態の斜視図である。
【図１４】内部特徴を示すためにデバイスの一部を省いた、図１３に示された実施形態の別の斜視図である。
【図１５】押下位置における手動アクティブ化可能駆動レバーを示す、図１３〜図１４に示された実施形態の斜視図である。
【図１６】本発明のヘアスタイリングデバイスの別の実施形態の斜視図である。
【図１７】内部特徴を示すためにデバイスの一部を省いた、図１６に示された実施形態の別の斜視図である。
【図１７Ａ】内部特徴を示すためにデバイスの一部を省いた、図１６に示された実施形態の別の斜視図である。
【図１８】押下位置における手動アクティブ化可能駆動レバーを示す、図１６〜図１７に示された実施形態の斜視図である。
【図１９】本発明のヘアスタイリングデバイスの別の実施形態の斜視図である。
【図２０】内部特徴を示すためにデバイスの一部を省いた、図１９に示された実施形態の別の斜視図である。
【図２１】押下位置における手動アクティブ化可能駆動レバーを示す、図１９〜図２０に示された実施形態の斜視図である。
【図２２】本発明のヘアスタイリングデバイスの別の実施形態の斜視図である。
【図２３】内部特徴を示すためにデバイスの一部を省いた、図２２に示された実施形態の別の斜視図である。
【図２４】押下位置における手動アクティブ化可能駆動レバーを示す、図２２〜図２３に示された実施形態の斜視図である。
【図２５】本発明のヘアスタイリングデバイスの別の実施形態の斜視図である。
【図２６】本発明のヘアスタイリングデバイスの別の実施形態の斜視図である。
【０００９】
対応する参照文字は、図面全体にわたって対応する部分を示す。
【発明を実施するための形態】
【００１０】
ここで最初に図１〜図９を参照すると、ヘアスタイリングデバイスの一実施形態は、全体に１０１が付される。デバイス１０１は、従来のヘアブラシと大体同じ方法で、髪にブラシをかけるのに使用されることができる。しかしながら、デバイス１０１はまた、下記により詳細に説明されるように、人の髪にカールを付与するために使用されることができる。
【００１１】
デバイス１０１は、本体１０３と、本体から延在するハンドル１０５とを有する。本体１０３は、それに固着された１つ以上のヘアスタイリング要素１０７を有する。ハンドル１０５は、人の手に適合するようにサイズ決定かつ成形され、従って、人は、その人の頭部上または別の人の頭部上の髪に対して、本体１０３と、その上のヘアスタイリング要素１０７とを移動させることができる。本体１０３及びハンドル１０５は、好適には、成形可能ポリマー材料から作られるが、その代わりに、他の材料を使用し得る。図７を参照すると、デバイス１０１の本体１０３及びハンドル１０５はそれぞれ、上側シェル１０９及び下側シェル１１１から作られ、これらのシェルは、図７の配向を参照して、そのように名付けられている。デバイス１０１がどのように配置されるかに応じて、下側シェル１１１が上側シェル１０９の上方に位置し得るとともに、逆もまた同様であることを理解されたい。本体１０３の上側シェル１０９及びハンドル１０５は、好適には、１ピースとして一緒に成形される。同様に、本体１０３の下側シェル１１１及びハンドル１０５はまた、好適には、１ピースとして一緒に成形される。上側シェル１０９及び下側シェル１１１は、示された実施形態のものよりも多いまたは少ないピースで作られることができ、シェルの複数のピースの間の境界線が変わり得ることを理解されたい。また、所望に応じて、シェルの構成は、図１〜図９に示されるものと異なり得る。上側シェル１０９及び下側シェル１１１は、本体１０３及びハンドル１０５を形成するように、（例えば、ねじ１１３または他の締結具によって）相互に固着されることができるように構成される。以下で明白になる理由のために、本体１０３及びハンドル１０５は、好適には、中空内部空間１１５を有する。
【００１２】
図４及び図５を参照すると、本体１０３は、好適には、本体１０３の対向する面上において、一対の幅狭側の面１２３の間に延在する幅広側の面１２１を有する。幅狭側の面１２３は、幅広側の面１２１の対向する面の間にある。幅広側の面１２１の幅Ｗ１は、幅狭側の面１２３の幅Ｗ２よりも広い。示された実施形態では、幅狭側の面１２３は、幅がほとんど等しいが、これは要求されるものではないことを理解されたい。本体１０３の幅広側の面１２１の幅Ｗ１は、好適には少なくとも約２インチである。本体１０３の長さＬ１は、好適には少なくとも約４インチである。本体１０３の長さＬ１を測定する目的のために、長さＬ１は、ハンドル１０５の反対側にある本体の端と、その端から最も遠くに離間するスタイリング要素１０７との間の距離として定義される。図１に示されるように、本体１０３の幅広側の面１２１は、好適には、実質的に平坦である。
【００１３】
複数のヘアスタイリング要素１０７は、本体の幅広側の面１２１に装着される。図１〜図９に示された実施形態では、ヘアスタイリング要素１０７の全てが本体１０３の幅広側の面１２１にある。ヘアスタイリング要素１０７の一部は、好適な固定スタイリング要素１２５であり、本体１０３に添着される。例えば、固定ヘアスタイリング要素１２５の一部または全てが、好適には、本体１０３の幅広側の面１２１に添着される。固定ヘアスタイリング要素１２５を本体１０３に添着する種々の方法がある。図７を参照すると、例えば、固定ヘアスタイリング要素１２５のいくつかまたは全ては、好適には、複数の固定ヘアスタイリング要素を支持する基部１２７上に装着される。示された実施形態では、いくつかの基部１２７があり、基部１２７のそれぞれは、少なくとも２つの固定ヘアスタイリング要素を支える。固定ヘアスタイリング要素１２５が下側シェル１１１内の開口部１２９を通って延在するように、基部１２７は本体１０３の内側に配置される。したがって、固定ヘアスタイリング要素１２５の遠位端は、ヘアスタイリングデバイス１０１の基部１０３から離れるように延在する。基部１２７は、上側シェル１０９及び下側シェル１１１によって、ヘアスタイリングデバイス１０１の内部空間１１５の内側に捕捉され、これによって、固定ヘアスタイリング要素を基部１０３上に保定する。ヘアスタイリングデバイスを設計及び／または製造する当業者は、固定スタイリング要素をヘアスタイリングデバイスの本体に添着するための、いくつかの他の選択肢を熟知し、示された実施形態の構成の代わりに選択肢のいずれかを使用することができる。
【００１４】
ヘアスタイリング要素１０７の少なくとも一部は、移動可能ヘアスタイリング要素１３５であり、本体に対して移動するために、本体１０３上に装着される。例えば、移動可能ヘアスタイリング要素１３５は、好適には、本体１０３に対して回転可能である。図１、図３、図５、及び図７を参照すると、複数の回転板１３７（広義には、回転可能基部）が、回転軸１３９を中心とする本体に対する回転板の回転のために、本体１０３上に装着される。示された実施形態の回転可能基部１３７は回転板の形態であるが、回転可能基部が、所望に応じて、他の形状及び構成（例えば、円蓋状または半球状）を有し得ることは明らかである。回転板１３７は、好適には、本体１０３の幅狭側の面１２３間において、本体１０３の幅広側の面１２１に装着される。図５を参照すると、回転板１３７は、好適には、本体１０３の縦軸１４３にほぼ沿って延在する直線状の構成で配列される。例えば、回転板１３７は、好適には、中心縦軸１４３上に直列に装着される。さらに、示された実施形態では、本体１０３の中心縦軸１４３は、ハンドル１０５の中央縦軸（また、１４３が付される）と整合し、従って、回転板１３７はまた、ハンドルの縦軸１４３に沿って延在する直線状の構成で配列される。回転板１３７は、好適には、回転板が相互に実質的に平行である回転軸１３９を有するように、本体１０３上に装着される。示された実施形態では、回転板１３７（例えば、全ての回転板）のうちの少なくとも１つの回転軸１３９は、ハンドル１０５が本体１０３から延在する方向に実質的に垂直である。回転軸１３９は、好適には、本体１０３の縦軸１４３及びハンドル１０５に実質的に垂直である。
【００１５】
移動可能ヘアスタイリング要素が回転板とともに移動するように、移動可能ヘアスタイリング要素１３５は回転板１３７上に装着される。回転板１３７は、好適には、下側シェル１１１内の開口部１４５内で受容され、これにより、回転板のいくつかの部分が本体１０３の内側に配置される。回転板１３７はまた、露出表面１４９を含み、露出表面１４９は、本体１０３の外側に配置される、または、少なくとも本体の外側からアクセス可能である、のどちらかである。回転板１３７の露出表面１４９は、本体１０３からほぼ離れるように対面する。移動可能ヘアスタイリング要素１３５は、好適には、回転板１３７の露出表面１４９に固着される。移動可能スタイリング要素１３５は、本体１０３から離れるように回転板１３７から延在する。
【００１６】
移動可能スタイリング要素１３５の少なくともの一部は、それらを支える回転板１３７の回転軸１４３からずれている。例えば、図１〜図９に示された実施形態では、移動可能ヘアスタイリング要素１３５のそれぞれは、各々の回転板１３７の回転軸１４３からずれている。図５に示されるように、移動可能スタイリング要素１３５の一部または全てが、半径方向外向きに、各々の回転板１３７の外周に達するまで延在する。ずれた移動可能スタイリング要素１３５は、比較的幅広い円内で移動するように配置され、このとき、回転板１３７は、そのずれた位置に起因して回転する。回転板１３７は、好適には、少なくとも約０．７５インチ等の比較的大きい直径Ｄ１を有する。
【００１７】
図４を参照すると、移動可能スタイリング要素１３５は、好適には、本体１０３から固定スタイリング要素１２５のものとほとんど同じ距離だけ延在する。全てのヘアスタイリング要素の遠位端は、好適には、図４に示されるように、同じ平面Ｐ上で存在する。代替として、全てのヘアスタイリング要素の遠位端は、円筒面上または他の滑らかな曲面上に存在し得る。ヘアスタイリングデバイス１０１が従来のブラシと同じ方法で髪にブラシをかけるために使用されるとき、固定ヘアスタイリング要素１２５及び移動可能ヘアスタイリング要素１３５の両方は、髪及び／または頭皮に接触するように配置され、デバイス１０１が頭皮に接触する場合、１セットのヘアスタイリング要素が、他のものよりも著しく長く、これにより、端部が、必ずしも同じ平面上または円滑な曲面上に存在しない場合が生じ得るように、圧力が少数のヘアスタイリング要素１２５、１３５だけに集中する傾向がない。
【００１８】
移動可能スタイリング要素１３５の構成は、本発明の広義の範囲内で変形することができる。図１〜図９に示された実施形態では、移動可能スタイリング要素の少なくとも一部（例えば、全て）は、パドル形状構成を有する。パドル形状スタイリング要素１３５のそれぞれは、回転方向にほぼ対面するように配向される幅広面１５１と、回転方向に対してほぼ半径方向に対面するように配向される幅狭面１５３とを有する。本実施形態における移動可能ヘアスタイリング要素１３５は、好適には、相互に実質的に平行である。しかしながら、移動可能スタイリング要素が、所望に応じて、基部から離れるように延在するにつれて、相互に向かって、または離れて、角度が変わるように配向され得ることは明らかである。また、本実施形態では、移動可能スタイリング要素１３５のそれぞれは、他の移動可能ヘアスタイリング要素のそれぞれから離間する。これは、１つ以上の束のスタイリング要素が相互に当接して装着される「房」スタイルのヘアスタイリング要素と対照的である。しかしながら、移動可能スタイリング要素が、所望に応じて、１つ以上の房部を含み得ることは明らかである。
【００１９】
デバイス１０１は、回転板１３７を回転駆動すること等によって、移動可能スタイリング要素１３５を移動駆動するための駆動システム１６１を含む。例えば、駆動システム１６１は、ユーザによって選択的にアクティブ化可能であり、所望されるとき、回転板１３７及びその上の移動可能スタイリング要素１３５を回転させる。例えば、駆動システム１６１は、好適には、さらに、所望されるとき、回転板１３７及びその上の移動可能スタイリング要素１３５を保持するように構成される。
【００２０】
図７〜図９を参照すると、駆動システム１６１は、好適には、回転板１３７に接続されるモータ１６３（例えば、電気モータ）を含み、モータが、本体１０３に対して回転板を回転させることができるようにする。示された実施形態では、モータ１６３は、ギヤ１７１のセットによって、回転板１３７に接続される。ギヤは、モータ１６３の出力軸１７５上に装着される駆動スプロケット１７３を含み、出力軸及び駆動スプロケットが一緒に回転するようにする。駆動スプロケット１７３は変速ギヤ１７７と噛合し、変速ギヤ１７７は、回転板ギヤ１７９の第１のセットと噛合する。回転板１３７は回転板ギヤ１７９上に装着され、回転板が、回転板ギヤとともに（例えば、一緒に）回転するようにする。示された実施形態では、変速ギヤ１７７は、モータ１６３の駆動スプロケット１７３及び出力軸１７５の角速度よりも大きい角速度で、第１の回転板ギヤ１７９を回転させるように構成される。すなわち、変速ギヤ１７７は、電力がモータから回転板１３７に伝達されるにつれて速度を増加させるように構成される。しかしながら、変速ギヤは、所望に応じて、モータに対して、回転板ギヤの速度を減少させるように構成され得る。
【００２１】
アイドラギヤ１８１は、回転板ギヤ１７９のそれぞれの間に配置され、アイドラギヤ１８１が隣接の回転板ギヤと噛合するようにする。それによって、ギヤ１７１は、回転板のそれぞれを同じ方向に回転させるように構成される。ギヤ１７１及び駆動システム１６１は、回転板１３７のそれぞれを実質的に同じ角速度で回転させるように構成される。例えば、示された実施形態の回転板ギヤ１７９は全て実質的に等しいサイズであり、アイドラギヤ１８１はまた、全て実質的に等しいサイズであり、これにより、回転板ギヤの全ては、ほとんど同じ速度で回転する。
【００２２】
回転板１３７は、種々の方法で回転板ギヤ１７９に接続されることができる。示された実施形態では、回転板１３７は、回転板ギヤ１７７に解放可能に固着される。図７〜図９を参照すると、例えば、回転板ギヤ１７７のそれぞれは、回転軸１３９（図８及び図９）に沿って延在するスピンドル１８５を有する。スピンドル１８５は、回転板１３７の基部内に形成されたソケット１８７（図７）内に受容されるようにサイズ決定かつ成形される。スピンドル１８５及びソケット１８７のそれぞれは、対応する非円形断面形状を有し、これにより、スピンドルがソケット内にあるとき、回転板１３７はスピンドル１８５及び回転板ギヤ１７９で回転をロックされる。スピンドル１８５及びソケット１８７は、好適には、髪をカールするために使用されるとき、デバイス１０１上で回転板を保持するには十分に強力であるが、ユーザが、所望されるとき、回転板１３７をスピンドル１８５から離すことができるくらい十分に弱い、スピンドルとソケットとの間における摩擦嵌合をもたらすように寸法決定される。これは、１つ以上の回転板１３７を異なる回転板と交換することを容易にする。
【００２３】
図１０は、デバイス１０１に交換可能に使用されることができる２つの異なるセットの回転板１３７、１３７’を示す。回転板１３７の第１のセットは、図１〜図９に示されるものと同じ回転板である。回転板１３７’の第２のセットは、異なる構成の移動可能ヘアスタイリング要素１３５’を有することを除いて、回転板１３７の第１のセットと実質的に同一である。パドル形状スタイリング要素１３５の代わりに、回転板１３７’の第２のセット上の移動可能スタイリング要素１３５’は実質的に円筒状である。実質的に円筒状のスタイリング要素１３５のそれぞれは、他の要素のそれぞれから離間する。各回転板１３７’上のスタイリング要素１３５’の１つは、回転軸１３９上に位置する。他のスタイリング要素１３５’は、回転軸１３９からずれている。スタイリング要素１３７’は、全て相互に実質的に平行であり、グリッド構成（例えば、３×３グリッド）で配列される。ユーザが、デバイスに異なる種類の移動可能スタイリング要素を使用することを望むときはいつでも、回転板をデバイスから離し、それらの回転板を異なるセットの回転板に代えることができる。図１０に示されているのは２種類の回転板１３７、１３７’だけであるが、移動可能ヘアスタイリング要素の構成において多くの可能な変形例があり、所望され得る可能な構成のいずれかに関する異なるセットの回転板があり得ることは明らかである。
【００２４】
図１０Ａ及び図１０Ｂを参照すると、２つの追加セットの回転板が、各々、９３７及び１０３７に示される。各回転板は、露出表面９４９、１０４９と、それらの表面から延在する複数のヘアスタイリング要素９３５、１０３５とを有する基部を含む。２つの回転板の違いは、回転板９３７が露出表面９４９の周囲で円周方向に離間する３つのヘアスタイリング要素９３５を含み、回転板１０３７が露出表面１０４９の周囲で円周方向に離間される４つのヘアスタイリング要素１０３５を含むことである。スタイリング要素９３５、１０３５のそれぞれは、対向する一対の幅広面９５１、１０５１と、幅広面の間に延在する一対の幅狭面９５３、１０５３とを有する。ヘアスタイリング要素９３５、１０３５は、略長方形パドル形状構成を有し、その構成は、側面が、露出表面９４９、１０４９上のヘアスタイリング要素の基部からヘアスタイリング要素の自由端まで、らせん状に延在するようにねじられている。ヘアスタイリング要素９３５、１０３５のねじれ形状は、回転板９３７、１０３７が髪をより効果的にカールするように回転するにつれて、髪のロック部を徐々に握持するように要素を構成する。一実施形態では、各ヘアスタイリング要素９３５、１０３５は、その基部から自由端まで約１８０度ねじられる。この方式では、基部におけるヘアスタイリング要素９３５、１０３５の内側に配置された幅狭面９５３、１０５３は、自由端におけるヘアスタイリング要素の外側に位置するように巻き付けられる。逆に、基部のヘアスタイリング要素９３５、１０３５の外側に配置された幅狭面９５３、１０５３は、自由端におけるヘアスタイリング要素の内側に位置するように巻き付けられる。ヘアスタイリング要素９３５、１０３５は、本開示の範囲から逸脱することなく、より小さい、または、より大きい程度に、ねじられ得る。
【００２５】
ヘアスタイリング要素９３５、１０３５はまた、回転板９３７、１０３７の回転軸ＲＡに対してある角度で延在する。特に、ヘアスタイリング要素９３５、１０３５は、回転板９３７、１０３７の回転軸ＲＡから半径方向外向きに延在する。一実施形態では、ヘアスタイリング要素９３５、１０３５の縦軸ＬＡは、回転軸ＲＡから約５度〜約１５度のある角度αで延在する。一実施形態では、ヘアスタイリング要素９３５、１０３５は、回転軸ＲＡから約１１度の角度αで延在する。ヘアスタイリング要素９３５、１０３５は、本開示の範囲から逸脱することなく、他の角度で延在し得る。ヘアスタイリング要素９３５、１０３５はまた、回転軸ＲＡに平行に延在し得る。加えて、各ヘアスタイリング要素９３５、１０３５は、約２１ｍｍ（０．８インチ）の長さ、約７ｍｍ（０．２７インチ）〜約８ｍｍ（０．３１インチ）の幅、及び約３ｍｍ（０．１２インチ）の厚さを有し得る。ヘアスタイリング要素９３５、１０３５は、本開示の範囲から逸脱することなく、他の寸法を有し得る。
【００２６】
回転板９３７、１０３７は、スピンドル１８５を回転板ギヤ１７７上に解放可能に取り付けるように構成される。これは、スピンドル１８５を回転板９３７、１０３７内のソケット９８７、１０８７に挿入することによって行われる。回転板９３７、１０３７は、スピンドルをソケット９８７、１０８７に挿入することによって、かつスピンドル上の突起（図示されない）をソケット内の凹部９８８、１０８８に係合することによって、スピンドル１８５にスナップ嵌合してよい。スピンドル１８５及びソケット９８７、１０８７のそれぞれは、対応する非円形断面形状を有し、これにより、スピンドルがソケット内にあるとき、回転板９３７、１０３７はスピンドル１８５及び回転板ギヤ１７９で回転をロックされる。好適な軸引張力によって、スピンドル１８５上の突起をソケット９８７、１０８７内の凹部９８８、１０８８から係脱し、回転板９３７、１０３７をスピンドル１８５から引き離すことができる。これは、１つ以上の回転板を異なる回転板に交換することを容易にする。ソケット９８７、１０８７を画定する回転板９３７、１０３７の一部は、回転板をスピンドル１８５にスナップ嵌合及び脱嵌合させるように、分割され、かつ弾性的に変形可能である。
【００２７】
図１０Ｃ及び図１０Ｄを参照すると、２つの追加セットの回転板が、各々、１１３７及び１２３７に示される。各回転板は、露出表面１１４９、１２４９と、それらの表面から延在する複数のヘアスタイリング要素１１３５、１２３５とを有する基部を含む。２つの回転板の違いは、回転板１１３７が露出表面１１４９の周囲で円周方向に離間する３つのヘアスタイリング要素１１３５を含み、回転板１２３７が露出表面１２４９の周囲で円周方向に離間される４つのヘアスタイリング要素１２３５を含むことである。ヘアスタイリング要素１１３５、１２３５のそれぞれは、対向する一対の幅広面１１５１、１２５１と、幅広面間に延在する幅狭面１１５３、１２５３とを有する。ヘアスタイリング要素１１３５、１２３５は、花弁パドル形状構成を有し、その構成は、側面が、露出表面１１４９、１２４９上のヘアスタイリング要素の基部からヘアスタイリング要素の自由端まで、らせん状に延在するようにねじられている。花弁状構成のヘアスタイリング要素は、その自由端の近くで大きくなる幅を有し、自由端において丸みが増す。ヘアスタイリング要素１１３２、１２３５のねじれ形状は、回転板１１３７、１２３７が髪をより効果的にカールするように回転するにつれて、髪のロック部を徐々に握持するように要素を構成する。一実施形態では、各ヘアスタイリング要素１１３５、１２３５は、その基部から自由端まで約１８０度ねじられる。ヘアスタイリング要素１１３５、１２３５は、本開示の範囲から逸脱することなく、より小さい、または、より大きい程度に、ねじられ得る。
【００２８】
ヘアスタイリング要素１１３５、１２３５はまた、回転板１１３７、１２３７の回転軸ＲＡに対してある角度で延在する。特に、ヘアスタイリング要素１１３５、１２３５は、回転板１１３７、１２３７の回転軸ＲＡから半径方向外向きに延在する。一実施形態では、ヘアスタイリング要素１１３５、１２３５の縦軸ＬＡは、回転軸ＲＡから約５度〜約１５度のある角度βで延在する。一実施形態では、ヘアスタイリング要素１１３５、１２３５は、回転軸ＲＡから約１１度の角度βで延在する。ヘアスタイリング要素１１３５、１２３５は、本開示の範囲から逸脱することなく、他の角度で延在し得る。ヘアスタイリング要素１１３５、１２３５はまた、回転軸ＲＡに平行に延在し得る。加えて、各ヘアスタイリング要素１１３５、１２３５は、約２１ｍｍ（０．８インチ）の長さ、約５ｍｍ（０．２インチ）の基部における幅、及びほぼ自由端における、約８ｍｍ（０．３１インチ）〜約１０ｍｍ（０．３９インチ）の幅を有し得る。ヘアスタイリング要素１１３５、１２３５は、本開示の範囲から逸脱することなく、他の寸法を有し得る。
【００２９】
回転板１１３７、１２３７は、スピンドル１８５を回転板ギヤ１７７上に解放可能に取り付けるように構成される。これは、スピンドル１８５を回転板１１３７、１２３７内のソケット１１８７、１２８７に挿入することによって行われる。回転板１１３７、１２３７は、スピンドルをソケット１１８７、１２８７に挿入することによって、かつスピンドル上の突起（図示されない）をソケット内の凹部１１８８、１２８８に係合することによって、スピンドル１８５にスナップ嵌合してよい。スピンドル１８５及びソケット１１８７、１２８７のそれぞれは、対応する非円形断面形状を有し、これにより、スピンドルがソケット内にあるとき、回転板１１３７、１２３７はスピンドル１８５及び回転板ギヤ１７９で回転をロックされる。好適な軸引張力によって、スピンドル１８５上の突起をソケット１１８７、１２８７内の凹部１１８８、１２８８から係脱し、回転板１１３７、１２３７をスピンドル１８５から引き離すことができる。これは、１つ以上の回転板を異なる回転板に交換することを容易にする。ソケット１１８７、１２８７を画定する回転板１１３７、１２３７の材料は、回転板をスピンドル１８５にスナップ嵌合及び脱嵌合させるように、分割され、かつ弾性的に変形可能である。
【００３０】
デバイス１０１の外部上においてアクセス可能であるスイッチ１６５は、モータ１６３の動作を制御し、ユーザが、駆動システム１６１を選択的にアクティブ化及び非アクティブ化することを可能にする。スイッチ１６５は、電源（示された実施形態の内蔵電池１６７等）に対してモータ１６３を選択的に接続及び遮断することが可能である、任意の好適なスイッチであり得る。
【００３１】
例えば、スイッチ１６５は、好適には、ユーザによってスイッチが押し下げられるとモータ１６３に電源投入して駆動システム１６１をアクティブ化し、かつ、ユーザがスイッチを離すとすぐに、モータを電源遮断して駆動システムをオフにするように構成される。したがって、ユーザは、ワンタッチだけで、駆動システム１６１をアクティブ化及び非アクティブ化してよく、タッチの持続時間は、駆動システムがアクティブである期間を規定するものである。デバイス１０１を使用するいくつかの方法が、駆動システム１６１の動作を継続するために、ユーザによるアクティブな入力を必要とする（ユーザがスイッチ１６５を押し続けること等を必要とする）ことが望ましい場合がある。例えば、ユーザがデバイスの使用中に混乱し、スイッチ１６５への圧力が維持できなくなる場合、デバイス１０１は、回転板１３７の回転を自動的に停止させ、これによって、ユーザが混乱している間の駆動システムの動作継続に起因して髪が絡まる危険性を最小限にする。同様に、ユーザがモータ１６３をオフにしようとする場合に生じ得る、髪の絡まり等の問題の危険性が少なくなるが、スイッチ１６５を押そうとする際の物理的誤り（例えば、不手際）によって、モータ１６３をオフにするのが遅延する。
【００３２】
デバイス１０１は、固定スタイリング要素モード及び移動（例えば、回転）スタイリング要素モードという２つのモードのいずれかで使用されることができる。固定スタイリング要素モードで使用されるとき、デバイス１０１は従来のヘアブラシと実質的に同じ方法で動作する。ユーザは、人の髪に対してデバイス１０１のハンドル１０５を移動させ、これにより、固定及び移動可能スタイリング要素１２５、１３５は、（例えば、髪の絡まりをほぐし、頭髪用化粧品を髪、直髪、巻き髪等の全体にわたって分散するために）人の髪に引っ掛けられ、人の髪に対して移動する。
【００３３】
移動ヘアスタイリング要素モードでデバイス１０１を使用するために、ユーザは、駆動システム１６１をアクティブ化し（例えば、スイッチ１６５を押すことによって）、移動スタイリング要素１３５を移動駆動させる。例えば、図１１を参照すると、ユーザは、好適には、駆動システム１６１をアクティブ化して回転板１３７を本体１０３に対して回転駆動させ、これによって、回転板及びその上の移動可能ヘアスタイリング要素１３５を回転させる一方で、ヘアスタイリング要素の少なくとも一部は上述の人の髪に接触する。本方法を使用して、種々のスタイル効果を達成することできる。例えば、回転している回転板１３７及び移動可能ヘアスタイリング要素は、人の頭部上の髪１９１のセットからねじれた髪の房１９３を好適に形成する。図１１では、パドル形状移動可能ヘアスタイリング要素１３５は、人の頭部から離間した場所（例えば、髪の束の端の近く）に、髪の房１９３と接触するように置かれる。パドル形状スタイリング要素１３５上の幅広面１５１は、略円形で髪を移動させ、これによって、髪の房を、デバイスと接触する髪の区画と人の頭部との間に延在するような略らせんコイル状にねじる。房１９１に適用されるらせん状の曲がりは、好適には、その房内でらせん状のコイルを形成している回転板１３７の回転軸１３９に実質的に平行である中心軸を有する。別の回転板を使用して別のねじれ房を形成しながら、回転板の第１のセットを使用して、第１のねじれ房を形成することが可能である。デバイス１０１が３つの回転板１３７を有するため、同時に、また、髪１９１の３つの別個の房１９３をらせんコイル状にねじることも可能となる。しかしながら、同時に、複数のらせんコイル状を形成することは必要ではない。
【００３４】
本方法は、長く続くらせん状の曲がりを房に付与するために選択された期間中に、髪１９１をねじれ房に保持することを随意に含む。例えば、房１９３をコイル形状に保持しながら、また、水分が蒸発し、または、ヘアスタイリング化粧品が乾燥し、及び／またはデバイス１０１が髪から取り外された後に髪がらせん状を保持するのを補助するセットをした状態で房１９３をコイル形状に保持しながら、房１９３に水を吹き付けたり、ヘアスプレー、ムース、ジェル、または他のヘアスタイリング化粧品を接触させたりする。
【００３５】
本プロセスは、らせん状のカールを髪１９１の追加の房１９３に付与することを所望する回数で繰り返すことができる。
【００３６】
これは、人の髪をカールするためにデバイスを使用することができる方法の単なる一例にすぎない。移動可能ヘアスタイリング要素が、所望に応じて、異なる方法で使用され得ることは明らかである。
【００３７】
図１２は、本発明のヘアスタイリングデバイス２０１の別の実施形態を示す。本デバイス２０１は、任意の固定ヘアスタイリング要素を有しないことを除いて、上記に説明され、かつ図１〜図９に示されたデバイス１０１に実質的に同一である。その代わりに、ヘアスタイリング要素２０７の全ては、回転板２３７上に装着される移動可能ヘアスタイリング要素２３５である。デバイス２０１は、上記に説明されたデバイス１０１と同じ方法を行うために使用されることができる。
【００３８】
図１３〜図１５に、全体に３０１が付された、ヘアスタイリングデバイスの別の実施形態を示す。本デバイス３０１は、上記に説明された駆動システム１６１が手動アクティブ化可能駆動システム３６１に置き換えられることを除いて、上記に説明され、かつ図１〜図９に示されたデバイス１０１と実質的に同等である。本デバイス３０１内にモータは存在しない。駆動システム３６１はギヤ３７１を有し、ギヤ３７１は、上記に説明された回転板ギヤ１７９及びアイドラギヤ１８１に対応する回転板ギヤ３７９及びアイドラギヤ３８１を含む。ただし、モータに代えて、デバイス３０１が手動アクチュエータ３７５を有し、手動アクチュエータ３７５は、示された実施形態では、枢動運動のために装着されたレバーの形態であり、これにより、レバーの一端が、ハンドル３０５の外側に延在する。駆動ソケットの区画に対応する歯３７３のセットは、レバー３７５の反対端に形成される。歯３７３は変速ギヤ３７７と噛合し、変速ギヤ３７７は補助アイドラギヤ３９３と噛合し、補助アイドラギヤ３９３は回転板ギヤ３７９の１つと噛合する。
【００３９】
レバー３７５は、レバーがハンドル３０５から更に遠方に突出する第１の位置（図１４）と、ハンドルからのレバーの突出を減少させた第２の位置（図１５）との間で、ユーザによって移動可能である。付勢部材３９５（例えば、ばね）が、レバー３７５を第１の位置に向かって付勢するようにハンドル３０５内に位置決め及び配列される。レバー３７５は、ギヤ３７１に対して位置決め及び配列され、第１の位置と第２の位置との間におけるレバーの移動が、ギヤによって、回転板３３７及びその上の移動可能スタイリング要素３３５を移動駆動させるようにする。上記に説明された駆動システム１６１と同様であるように、ギヤ３７１は、同じ方向に、かつほとんど同一速度で、回転板３３７のそれぞれを駆動させるように構成される。
【００４０】
デバイス３０１は、図１〜図９に示されたデバイス１０１に関連して上記に説明されたものと実質的に同じ方法で使用されることができる。ただし、移動可能スタイリング要素を移動させるために、ユーザは、アクチュエータ３７５（例えば、レバー）を手動で操作することによって、駆動システム３６１を手動でアクティブ化し、アクチュエータを第１の位置から第２の位置に移動させる。次に、ユーザは、アクチュエータ３７５を解放する前に、デバイスを髪から取り外す。ユーザがアクチュエータ３７５を解放すると、付勢部材３９５は、アクチュエータを第１の位置に戻るように自動的に移動させる。本プロセスは、所望の回数だけ繰り返してよい。
【００４１】
図１６〜図１８に、全体に４０１が付された、ヘアスタイリングデバイスの別の実施形態を示す。本デバイス４０１は、本体４０３が略楕円状を有し、本体から延在する長尺のハンドルを含まないことを除いて、上記に説明され、かつ図１３〜図１５に示されたデバイス３０１と同等である。むしろ、本体４０３自体は、デバイス４０１を操作するために、ユーザによって把持されることが意図される。さらに、つかみ表面４９７が、本体を把持することを容易にするために、本体４０３上で提供される。示されるように、つかみ表面４９７は、本体４０３内の一連の平行チャネルである。ただし、つかみ表面が、限定されないが、隆起表面、でこぼこ、及び高摩擦材料を含む、異なる形態をとり得ることは明らかであろう。示されるように、本体４０３は、一緒に接続され得る２つの半部分で形成される。本体の一方の半部分は、内部構成を示すために、図１４及び図１５では省かれている。
【００４２】
加えて、複数の移動可能スタイリング要素４３５を含む単一の回転板４３７だけが、本体４０３上に装着されている。デバイス３０１と同様に、駆動システム４６１はギヤ４７１を有し、ギヤ４７１は、単一の回転板ギヤ４７９と、その回転板ギヤに対応する単一のアイドラギヤ４８１とを含む。示された実施形態における手動アクチュエータ４７５は、枢動運動のために装着されたレバーの形態であり、レバーの一端が、ハンドル４０３の外側に延在するようにする。駆動ソケットの区画に対応する歯４７３のセットは、レバー４７５の反対端に形成される。歯４７３は変速ギヤ４７７と噛合し、変速ギヤ４７７はアイドラギヤ４８１と噛合し、アイドラギヤ４８１は回転板ギヤ４７９と噛合する。回転板４３７は、回転板との共同回転のために、回転板ギヤ４７９に接続されている。示された実施形態では、各移動可能スタイリング要素４３５は、要素の幅狭面４５３に形成される一対の凹部４５７を伴うパドル形状を有する。凹部４５７は、くしの歯に類似して、へアスタイリング要素４３５の半径方向外向きに対面し、使用中、多くの髪の房を受容かつ保定する。ただし、移動可能スタイリング要素４３５の構成は、本発明の広義の範囲内で変形することができる。本体４０３の全体サイズは、本体１０３のものと同等であり、本体４０３の幅広側の面の幅を好適には少なくとも約２インチとし、本体４０３の長さを好適には少なくとも約４インチとする。
【００４３】
デバイス３０１に関して上記に説明されたように、レバー４７５は、第１の位置（図１７及び図１７Ａ）と第２の位置（図１８）との間で、ユーザによって移動可能である。付勢部材４９５（例えば、ばね）は、ハンドル４０３内に位置決め及び配列され、レバー４７５を第１の位置（図１７Ａ）に向かって付勢する。レバー４７５は、ギヤ４７１に対して位置決め及び配列され、第１の位置と第２の位置との間におけるレバーの移動が、ギヤを介して、回転板４３７及びその上の移動可能スタイリング要素４３５を移動駆動させるようにする。
【００４４】
移動可能スタイリング要素を移動させるために、ユーザは、アクチュエータ４７５（例えば、レバー）を手動で操作することによって、駆動システム４６１を手動でアクティブ化し、アクチュエータを第１の位置から第２の位置に移動させる。ギヤ４８１及び４７９に関連するギヤ４７７のサイズは、回転板４３７及びその上に装着されるヘアスタイリング要素を、ギヤ４７７よりも大きい回転角によって、より急速に回転させる。次に、ユーザは、アクチュエータ４７５を解放する前に、デバイスを髪から取り外す。ユーザがアクチュエータ４７５を解放すると、付勢部材４９５は、アクチュエータを第１の位置に戻るように自動的に移動させる。本プロセスは、所望される回数だけ繰り返してよい。
【００４５】
図１９〜図２１に、全体に５０１が付された、ヘアスタイリングデバイスの別の実施形態を示す。本デバイス５０１は、アクチュエータ５７５が本体５０３の側面に押下可能ボタンを備えることを除いて、上記に説明され、かつ図１６〜図１８に示されたデバイス４０１と実質的に同等である。アクチュエータ５７５は、線に沿って前後に移動し、ヘアスタイリング要素５３５の回転を作動させることができる。特に図１７及び図１８で省かれた本体の一部を含む本体５０３は、その直線状の往復経路に沿って、アクチュエータ５７５の移動を誘導するための構造を含む。ばね５９５は、ボタンを形成する部分の反対側にあるアクチュエータ５７５の端に取り付けられる。ばね５９５の他の端は、図２０及び図２１で省かれた本体５０３の一部の上にある支柱（図示されない）に取り付けられる。支柱は、ばね５９５がアクチュエータ５７５を移動させるために作動する固定点を提供する。加えて、各移動可能スタイリング要素５３５は、略三角形断面を伴うパドル形状である。凹部５５７は、スタイリング要素の側面５５３内に形成される。一実施形態では、前述の実施形態のヘアスタイリングデバイス４０１は、本発明の範囲から逸脱することなく、本実施形態のデバイス５０１に関して開示されるアクチュエータ５７５を含むアクチュエータアセンブリを使用してよい。
【００４６】
図２２〜図２４に、全体に６０１が付された、ヘアスタイリングデバイスの別の実施形態を示す。本デバイス６０１は、アクチュエータ６７５が本体６０３の底部に押下可能ボタンを備えることを除いて、上記に説明され、かつ図１９〜図２１に示されたデバイス５０１と実質的に同等である。さらに、アクチュエータ６７５は、概して、図２２及び図２３に示されるように、押し下げられないとき、本体６０３の表面と略同一平面上にある。図２３及び図２４に示されるように、本体６０３は、アクチュエータ６７５の移動を誘導する誘導壁を含む。同様の誘導壁（図示されない）がまた、図２３及び図２４から省かれた本体６０３の一部の上に存在する。本実施形態では、２つのばね６９５を採用する。ばね６９５は、アクチュエータ６７５の各々の脚部の端に取り付けられる。ばね６９５の他の端は、図２３及び図２４で省かれている本体６０３の一部の上にある支柱（図示されない）に取り付けられる。脚部の１つは、駆動システム６６１に係合する歯６７３で形成される。加えて、各移動可能スタイリング要素６３５は、パドル形状であり、略長方形断面を有する。ヘアスタイリング要素６３５は、凹部を有しないが、そのような凹部を使用し得ることは明らかであろう。
【００４７】
図２５に、全体に７０１が付された、ヘアスタイリングデバイスの別の実施形態を示す。本デバイス７０１は、単一のスタイリング要素７３５が回転板７３７上に装着されたことを除いて、上記に説明され、かつ図１９〜図２１に示されたデバイス５０１と実質的に同等である。スタイリング要素７３５は、三角柱形状を有する。スタイリング要素７３５の側面７５９は凹面である。凹部７５７は、スタイリング要素７３５の縁７５３内に形成される。凹部７５７は、ヘアスタイリング要素から半径方向外向きに開放している。凹部７５７は、群になって配列される。異なる群の凹部は、回転可能基部７３７の回転軸を中心に、異なる半径方向に開放している。
【００４８】
図２６に、全体に８０１が付された、ヘアスタイリングデバイスの別の実施形態を示す。本デバイス８０１は、スタイリング要素８３５が略六角柱形状を有することを除いて、上記に説明され、かつ図１９〜図２１に示されたデバイス５０１と実質的に同等である。凹部８５７は、スタイリング要素８３５の側面８５３内に形成される。
【００４９】
本発明の要素またはそれらの好ましい実施形態（複数可）を紹介するとき、冠詞「ａ」、「ａｎ」、「ｔｈｅ」、及び「ｓａｉｄ」は１つ以上の要素があることを意味することが意図される。用語「ｃｏｍｐｒｉｓｉｎｇ（備える）」、「ｉｎｃｌｕｄｉｎｇ（含む）」、及び「ｈａｖｉｎｇ（有する）」は、包含的であることが意図され、列挙された要素以外の追加の要素があり得ることを意味する。
【００５０】
本発明の範囲から逸脱することなく、上記の装置、システム、及び方法において種々の変更がされるとき、上記の説明に含有され、かつ添付の図面に示される全ての内容について、例示として解釈するべきであって、限定的な意味で解釈するべきではないことが意図される。
【図１】
2021520857.tif 000003
【図２】
2021520857.tif 000004
【図３】
2021520857.tif 000005
【図４】
2021520857.tif 000006
【図５】
2021520857.tif 000007
【図６】
2021520857.tif 000008
【図７】
2021520857.tif 000009
【図８】
2021520857.tif 000010
【図９】
2021520857.tif 000011
【図１０】
2021520857.tif 000012
【図１０Ａ】
2021520857.tif 000013
【図１０Ｂ】
2021520857.tif 000014
【図１０Ｃ】
2021520857.tif 000015
【図１０Ｄ】
2021520857.tif 000016
【図１１】
2021520857.tif 000017
【図１２】
2021520857.tif 000018
【図１３】
2021520857.tif 000019
【図１４】
2021520857.tif 000020
【図１５】
2021520857.tif 000021
【図１６】
2021520857.tif 000022
【図１７】
2021520857.tif 000023
【図１７Ａ】
2021520857.tif 000024
【図１８】
2021520857.tif 000025
【図１９】
2021520857.tif 000026
【図２０】
2021520857.tif 000027
【図２１】
2021520857.tif 000028
【図２２】
2021520857.tif 000029
【図２３】
2021520857.tif 000030
【図２４】
2021520857.tif 000031
【図２５】
2021520857.tif 000032
【図２６】
2021520857.tif 000033
【国際調査報告】
2021520857.tif 000034
2021520857.tif 000035
2021520857.tif 000036